【手続補正書】
【提出日】平成22年6月9日(2010.6.9)
【手続補正１】
【補正対象書類名】特許請求の範囲
【補正対象項目名】全文
【補正方法】変更
【補正の内容】
【特許請求の範囲】
【請求項１】
部屋の空気を吸い込む吸込口と調和空気を吹き出す吹出口とを有する略箱状の本体と、
前記本体の前面に所定の俯角で下向きに取り付けられ、
温度検出対象の温度を検出する赤外線センサと、
前記赤外線センサにより人や発熱機器の存在を検知して、当該空気調和機の制御を司る
制御部とを備え、
前記制御部は、少なくとも運転起動時に前記赤外線センサにより前記部屋の熱画像データを取得し、前記熱画像データに基づいて前記本体の前記部屋における据付位置を判断することを特徴とする空気調和機。
【請求項２】
前記吹出口に、吹き出し風の上下方向の風向を制御する上下風向制御板を備え、前記制
御部が前記赤外線センサにより前記部屋の熱画像データを取得する場合、前記制御部は前記上下風向制御板を水平吹きとすることを特徴とする請求項１記載の空気調和機。
【請求項３】
前記吹出口に、吹き出し風の左右方向の風向を制御する左右風向制御板を備え、前記制
御部が前記赤外線センサにより前記部屋の熱画像データを取得する場合、前記左右風向制御板を右側に傾けた第１の状態と、左側に傾けた第２の状態との夫々について前記熱画像データを取得することを特徴とする請求項１又は請求項２記載の空気調和機。
【請求項４】
前記制御部は、前記熱画像データに基づいて判断した前記部屋における据付位置に対応して、前記吹出口から吹き出される吹き出し風の左右風向を設定することを特徴とする請求項１乃至３のいずれかに記載の空気調和機。
【請求項５】
前記赤外線センサは、左右方向に所定角度範囲で回転駆動して、前記部屋の熱画像データを取得することを特徴とする請求項１乃至４のいずれかに記載の空気調和機。
【請求項６】
前記制御部の前記本体の前記据付位置に対応して前記吹出口から吹き出される吹き出し
風の風向を設定する処理は、当該空気調和機の運転起動時に常時行い、ある検知回数を超
えたら確定情報として以後は行わないことを特徴とする請求項１乃至５のいずれかに記載の空気調和機。
【請求項７】
前記制御部は、以下に示す（１）〜（３）のいずれか、若しくは（１）及び（２）によ
り前記本体の前記部屋における据付位置を判断することを特徴とする請求項１乃至６のいずれかに記載の空気調和機。
（１）前記熱画像データの熱分布の面積を左右で比較する；
（２）前記熱画像データの熱分布の温度を左右で比較する；  
（３）前記熱画像データの熱分布の面積と前記熱画像データの熱分布の温度との積を左右
で比較する。
【手続補正２】
【補正対象書類名】明細書
【補正対象項目名】０００８
【補正方法】変更
【補正の内容】
【０００８】
この発明に係る空気調和機は、部屋の空気を吸い込む吸込口と調和空気を吹き出す吹出
口とを有する略箱状の本体と、
前記本体の前面に所定の俯角で下向きに取り付けられ、温度検出対象の温度を検出する赤外線センサと、
前記赤外線センサにより人や発熱機器の存在を検知して、当該空気調和機の制御を司る
制御部とを備え、
前記制御部は、少なくとも運転起動時に前記赤外線センサにより前記部屋の熱画像データを取得し、前記熱画像データに基づいて前記本体の前記部屋における据付位置を判断するものである。
【手続補正３】
【補正対象書類名】明細書
【補正対象項目名】０００９
【補正方法】変更
【補正の内容】
【０００９】
この発明に係る空気調和機は、制御部が少なくとも運転起動時に赤外線センサ
により部屋の熱画像データを取得し、熱画像データに基づいて本体の部屋における据付位置を判断するので、据え付け時に作業者又は使用者が室内機の据付位置の設定をしなくても、自動的に室内機の据付位置の設定を行うことができる。
【手続補正４】
【補正対象書類名】明細書
【補正対象項目名】００１３
【補正方法】変更
【補正の内容】
【００１３】
図１乃至図２４は実施の形態１を示す図で、図１、図２は空気調和機１００の斜視図、図３は空気調和機１００の縦断面図、図４は可動式赤外線センサ３と受光素子の各配光視野角を示す図、図５は可動式赤外線センサ３を収納する筐体５の斜視図、図６は可動式赤外線センサ３付近の斜視図（（ａ）は可動式赤外線センサ３が右端端部へ可動した状態、（ｂ）は可動式赤外線センサ３が中央部へ可動した状態、（ｃ）は可動式赤外線センサ３が左端端部へ可動した状態）、図７は可動式赤外線センサ３の縦断面における縦配光視野角を示す図、図８は主婦１２が幼児１３を抱いている部屋の熱画像データを示す図、図９はある任意の大きさの部屋に空気調和機１００が設置されている様子を示す図、図１４は床面の１辺が３６００ｍｍの正方形（８畳相当）の部屋を２つ並べた１６畳相当の部屋の長手方向の壁の中央付近に空気調和機１００を設置した部屋空間に対し、３角法にて床面と壁面を展開した図、図１１は図１４の空気調和機１００の据付条件にて熱画像データを取得する際の床面領域２２、壁面領域２０、床面と壁面との境界線領域２１の検知エリア領域を示す図、図１２は床面の１辺が３６００ｍｍの正方形（８畳相当）の部屋を２つ並べた１６畳相当の部屋の短手方向の壁の中央付近に空気調和機１００を設置した部屋空間に対し、３角法にて床面と壁面を展開した図、図１３は図１２の空気調和機１００の据付条件にて熱画像データを取得する際の床面領域２５、壁面領域２３、床面と壁面との境界線領域２４の検知エリア領域を示す図、図１０は床面の１辺が３６００ｍｍの正方形（８畳相当）の部屋を２つ並べた１６畳相当の部屋の長手方向の壁の右側端付近に空気調和機１００を設置した部屋空間に対し、３角法にて床面と壁面を展開した図、図１５は図１０の空気調和機１００の据付条件にて熱画像データを取得する際の床面領域２８、壁面領域２６、床面と壁面との境界線領域２７の検知エリア領域を示す図、図１６は部屋の据付壁５０の中央付近に空気調和機１００を据付け、吹出し風２９を右側に吹出す場合の斜視図（ａ）と吹出し風３０を左側に吹出す場合の斜視図（ｂ）、図１７は部屋の据付壁５０の右端付近に空気調和機１００を据付け、吹出し風２９を右側に吹出す場合の斜視図（ａ）と吹出し風３０を左側に吹出す場合の斜視図（ｂ）、図１８は図１６（ａ）の据付・運転条件における部屋の熱画像データを示す図、図１９は図１６（ｂ）の据付・運転条件における部屋の熱画像データを示す図、図２０は図１８と図１９とを合わせた図、図２１は図１７（ａ）の据付・運転条件における部屋の熱画像データを示す図、図２２は図１７（ｂ）の据付・運転条件における部屋の熱画像データを示す図、図２３は図２１と図２２とを合わせた図、図２４は空気調和機１００と左右壁との距離Ｌと面積（画素数）Ｓとの関係を示す図である。
【手続補正５】
【補正対象書類名】明細書
【補正対象項目名】００３９
【補正方法】変更
【補正の内容】
【００３９】
図１４は床面の１辺が３６００ｍｍの正方形（８畳相当）の部屋を２つ並べた１６畳相当の部屋の長手方向の壁の中央付近に空気調和機１００を設置した部屋空間に対し、３角法にて床面と壁面を展開した図である。
【手続補正６】
【補正対象書類名】明細書
【補正対象項目名】００４１
【補正方法】変更
【補正の内容】
【００４１】
図１１は図１４の空気調和機１００の据付条件にて熱画像データを取得する際の床面領域２２、壁面領域２０、床面と壁面との境界線領域２１の検知エリア領域を示す図である。空気調和機１００の据付け高さを１８００ｍｍとした場合（図７）に取得できる縦８素子＊横９４分解能から得られる７５２画素相当の熱画像における壁面領域２０と、床面領域２２と、床１８と壁面（右側の壁１７、左側の壁１６、正面の壁１９）との境界線領域２１とを示す。
【手続補正７】
【補正対象書類名】明細書
【補正対象項目名】００５１
【補正方法】変更
【補正の内容】
【００５１】
図１０は床面の１辺が３６００ｍｍの正方形（８畳相当）の部屋を２つ並べた１６畳相当の部屋の長手方向の壁の右側端付近に空気調和機１００を設置した部屋空間に対し、３角法にて床面と壁面を展開した図である。
【手続補正８】
【補正対象書類名】明細書
【補正対象項目名】００５２
【補正方法】変更
【補正の内容】
【００５２】
図１５は図１０の空気調和機１００の据付条件にて熱画像データを取得する際の床面領域２８、壁面領域２６、床面と壁面との境界線領域２７の検知エリア領域を示す図である。空気調和機１００の据付け高さを１８００ｍｍとした場合（図７）に取得できる縦８素子＊横９４分解能から得られる７５２画素相当の熱画像における壁面領域２６と、床面領域２８と、床１８と壁面（右側の壁１７、左側の壁１６、正面の壁１９）との境界線領域２７とを示す。
【手続補正９】
【補正対象書類名】明細書
【補正対象項目名】００８０
【補正方法】変更
【補正の内容】
【００８０】
【図１】実施の形態１を示す図で、空気調和機１００の斜視図。
【図２】実施の形態１を示す図で、空気調和機１００の斜視図。
【図３】実施の形態１を示す図で、空気調和機１００の縦断面図。
【図４】実施の形態１を示す図で、可動式赤外線センサ３と受光素子の各配光視野角を示す図。
【図５】実施の形態１を示す図で、可動式赤外線センサ３を収納する筐体５の斜視図。
【図６】実施の形態１を示す図で、可動式赤外線センサ３付近の斜視図（（ａ）は可動式赤外線センサ３が右端端部へ可動した状態、（ｂ）は可動式赤外線センサ３が中央部へ可動した状態、（ｃ）は可動式赤外線センサ３が左端端部へ可動した状態）。
【図７】実施の形態１を示す図で、可動式赤外線センサ３の縦断面における縦配光視野角を示す図。
【図８】実施の形態１を示す図で、主婦１２が幼児１３を抱いている部屋の熱画像データを示す図。
【図９】実施の形態１を示す図で、ある任意の大きさの部屋に空気調和機１００が設置されている様子を示す図。
【図１０】実施の形態１を示す図で、床面の１辺が３６００ｍｍの正方形（８畳相当）の部屋を２つ並べた１６畳相当の部屋の長手方向の壁の右側端付近に空気調和機１００を設置した部屋空間に対し、３角法にて床面と壁面を展開した図。
【図１１】実施の形態１を示す図で、図１４の空気調和機１００の据付条件にて熱画像データを取得する際の床面領域２２、壁面領域２０、床面と壁面との境界線領域２１の検知エリア領域を示す図。
【図１２】実施の形態１を示す図で、床面の１辺が３６００ｍｍの正方形（８畳相当）の部屋を２つ並べた１６畳相当の部屋の短手方向の壁の中央付近に空気調和機１００を設置した部屋空間に対し、３角法にて床面と壁面を展開した図。
【図１３】実施の形態１を示す図で、図１２の空気調和機１００の据付条件にて熱画像データを取得する際の床面領域２５、壁面領域２３、床面と壁面との境界線領域２４の検知エリア領域を示す図。
【図１４】実施の形態１を示す図で、床面の１辺が３６００ｍｍの正方形（８畳相当）の部屋を２つ並べた１６畳相当の部屋の長手方向の壁の中央付近に空気調和機１００を設置した部屋空間に対し、３角法にて床面と壁面を展開した図。
【図１５】実施の形態１を示す図で、図１０の空気調和機１００の据付条件にて熱画像データを取得する際の床面領域２８、壁面領域２６、床面と壁面との境界線領域２７の検知エリア領域を示す図。
【図１６】実施の形態１を示す図で、部屋の据付壁５０の中央付近に空気調和機１００を据付け、吹出し風を２９右側に吹出す場合の斜視図（ａ）と吹出し風３０を左側に吹出す場合の斜視図（ｂ）。
【図１７】実施の形態１を示す図で、部屋の据付壁５０の右端付近に空気調和機１００を据付け、吹出し風２９を右側に吹出す場合の斜視図（ａ）と吹出し風３０を左側に吹出す場合の斜視図（ｂ）。
【図１８】実施の形態１を示す図で、図１６（ａ）の据付・運転条件における部屋の熱画像データを示す図。
【図１９】実施の形態１を示す図で、図１６（ｂ）の据付・運転条件における部屋の熱画像データを示す図。
【図２０】実施の形態１を示す図で、図１８と図１９とを合わせた図。
【図２１】実施の形態１を示す図で、図１７（ａ）の据付・運転条件における部屋の熱画像データを示す図。
【図２２】実施の形態１を示す図で、図１７（ｂ）の据付・運転条件における部屋の熱画像データを示す図。
【図２３】実施の形態１を示す図で、図２１と図２２とを合わせた図。
【図２４】実施の形態１を示す図で、空気調和機１００と左右壁との距離Ｌと面積（画素数）Ｓとの関係を示す図。